(57)【要約】      （修正有）【課題】基地局の識別を一意に識別する。【解決手段】他の無線通信デバイスの隣接したセルの中で無線通信デバイスのセルを識別すると共に、無線通信デバイスと移動端末との間で交換されるデータをスクランブルするための符号を特徴付ける第１の物理セル識別子及び移動端末と交換されるデータをスクランブルするための符号を特徴付けるように意図されない少なくとも１つの第２の物理セル識別子が無線通信デバイスに割り当てられ、第１の物理セル識別子を転送するための電力パターンを決定するステップと、少なくとも１つの第２の物理セル識別子を転送するための、第１の電力パターンよりも厳密に低い別の電力パターンを決定するステップと、物理セル識別子及び電力パターンを無線通信デバイスへ転送し、かつ／又は該物理セル識別子を表す信号を電力パターンに従って移動端末へ並列に転送するステップとを含む。【選択図】図１
2011109668.tif 000002
【特許請求の範囲】
【請求項１】
無線セルラー通信ネットワークの無線通信デバイスによって移動端末へ転送される信号を制御するための方法であって、
第１の物理セル識別子及び少なくとも１つの第２の物理セル識別子が前記無線通信デバイスに割り当てられ、
前記第１の物理セル識別子は、他の無線通信デバイスの隣接したセルの中で前記無線通信デバイスのセルを識別すると共に、前記無線通信デバイスと移動端末との間で交換されるデータをスクランブルするための符号を特徴付けるように意図され、
前記少なくとも１つの第２の物理セル識別子は、移動端末と交換されるデータをスクランブルするための符号を特徴付けるように意図されないことを特徴とし、
該方法は、
前記第１の物理セル識別子を表す信号を移動端末へ転送することに前記無線通信デバイスによって適用される電力パターンを決定するステップと、
前記少なくとも１つの第２の物理セル識別子を表す信号を移動端末へ転送することに前記無線通信デバイスによって適用される別の電力パターンを決定するステップであって、該別の電力パターンは前記第１の電力パターンよりも厳密に低い、別の電力パターンを決定するステップと、
前記第１の物理セル識別子及び前記少なくとも１つの第２の物理セル識別子並びに前記電力パターンを前記無線通信デバイスへ転送し、かつ／又は前記第１の物理セル識別子及び前記少なくとも１つの第２の物理セル識別子を表す信号を前記電力パターンに従って移動端末へ並列に転送するステップと、
を含むことを特徴とする、方法。
【請求項２】
前記方法は、前記無線セルラー通信ネットワークの基地局又はアクセスゲートウェイによって実行されることを特徴とし、１つの第２の物理セル識別子は、無線通信デバイスグループの各無線通信デバイスを識別するように意図され、少なくとも２つの無線通信デバイスは隣接したものであることを特徴とする、請求項１に記載の方法。
【請求項３】
前記第２の物理セル識別子を表す信号を移動端末へ転送することに前記無線通信デバイスによって適用される前記電力パターンは、前記第１の物理セル識別子を表す信号を移動端末へ転送することに前記無線通信によって適用される前記電力パターンを、前記無線通信デバイスに隣接して配置された前記通信デジタルグループに含まれる通信デバイスの個数で割ったものよりも低いことを特徴とする、請求項２に記載の方法。
【請求項４】
前記方法は、前記無線セルラー通信ネットワークの基地局若しくはアクセスゲートウェイ又は前記無線通信デバイスによって実行されることを特徴とし、前記少なくとも１つの第２の物理セル識別子は、前記第１の物理セル識別子を転送する前記無線通信デバイスの前記セルの一意の識別確率を増加させるように意図されることを特徴とする、請求項１に記載の方法。
【請求項５】
或るセルが無線通信デバイスの少なくとも１つのセルと隣接しているときに、それらの物理セル識別子から或るセルを区別することができないことが検出された場合に、前記セルにおいて無線通信デバイスにより送信される信号に第２の物理セル識別子が追加されることを特徴とする、請求項４に記載の方法。
【請求項６】
少なくとも２つの第２の物理セル識別子の前記電力パターンは、減少する値で設定され、前記第２の物理セル識別子の送信電力の合計は、前記第１の物理セル識別子の前記送信電力よりも低いことを特徴とする、請求項５に記載の方法。
【請求項７】
前記無線通信デバイスはホーム基地局又は中継器であることを特徴とする、請求項１から請求項６までのいずれか１項に記載の方法。
【請求項８】
無線セルラー通信ネットワークの無線通信デバイスによって移動端末へ転送される信号を制御するための装置であって、
第１の物理セル識別子及び少なくとも１つの第２の物理セル識別子が前記無線通信デバイスに割り当てられ、
前記第１の物理セル識別子は、他の無線通信デバイスの隣接したセルの中で前記無線通信デバイスのセルを識別すると共に、前記無線通信デバイスと移動端末との間で交換されるデータをスクランブルするための符号を特徴付けるように意図され、
前記少なくとも１つの第２の物理セル識別子は、移動端末と交換されるデータをスクランブルするための符号を特徴付けるように意図されないことを特徴とし、
該装置は、
前記第１の物理セル識別子を表す信号を移動端末へ転送することに前記無線通信デバイスによって適用される電力パターンを決定する手段と、
前記少なくとも１つの第２の物理セル識別子を表す信号を移動端末へ転送することに前記無線通信デバイスによって適用される別の電力パターンを決定する手段であって、該別の電力パターンは前記第１の電力パターンよりも厳密に低い、別の電力パターンを決定する手段と、
前記第１の物理セル識別子及び前記少なくとも１つの第２の物理セル識別子並びに前記電力パターンを前記無線通信デバイスへ転送し、かつ／又は前記第１の物理セル識別子及び前記少なくとも１つの第２の物理セル識別子を表す信号を前記電力パターンに従って移動端末へ並列に転送する手段と、
を含むことを特徴とする、装置。
【請求項９】
プログラマブルデバイス内に直接ロード可能とすることができるコンピュータープログラムであって、該コンピュータープログラムがプログラマブルデバイスで実行されると、請求項１から請求項７までのいずれか１項に記載の方法の前記ステップを実施するための命令又はコード部を含む、コンピュータープログラム。
【発明の詳細な説明】
【技術分野】
【０００１】
本発明は、包括的には、無線セルラー通信ネットワークの無線通信デバイスによって移動端末へ転送される信号を制御するための方法及びデバイスに関する。
【背景技術】
【０００２】
従来の無線セルラー通信ネットワークでは、各基地局は、自身のセルのそれぞれについて又は自身の１つ又は複数のセルの各セクターについて、物理セル識別子(physical cell identifier)（ＰＣＩＤ）のような識別子を有する。ＰＣＩＤは、物理層における基地局のセル又はセクターを特徴付ける。
【０００３】
例えば、ＰＣＩＤは、２つのシーケンスに関連付けられ、
ＰＳＣシーケンス又は１次同期信号(Primary Synchronisation Signal)（ＰＳＳ）と呼ばれる第１のシーケンスは、１次同期チャネル(Primary Synchronisation Channel)（ＰＳＣ）で転送され、
ＳＳＣシーケンス又は２次同期信号(Secondary Synchronisation Signal)（ＳＳＳ）と呼ばれる第２のシーケンスは、２次同期チャネル(Secondary Synchronisation Channel)（ＳＳＣ）で転送される。
【０００４】
無線セルラー通信ネットワークでは、３つのＰＳＣシーケンスが利用可能であり、各ＰＳＣシーケンスは良好な時間相互相関特性を有する。
【０００５】
ＰＳＣシーケンスは、ＰＣＩＤ識別に加えて、粗い同期に使用することもでき、ＳＳＣシーケンスのコヒーレント検出を可能にするチャネル推定に使用することもできる。ＳＳＣシーケンスは、ＰＣＩＤ識別に加えて、同期の微調整にも使用することができる。
【０００６】
３つのＰＳＣシーケンスは、３つの異なる同期されたセルの効率的な時間同期を確保するために準直交である。
【０００７】
１６８個のＳＳＣシーケンスが無線セルラー通信ネットワークで利用可能であり、各ＳＳＣシーケンスは、他のＳＳＣシーケンスと低い相互相関を有する。
【０００８】
上述した例によれば、ＰＣＩＤの総数は、この場合、５０４に等しい。
【０００９】
ＰＣＩＤは、通例、セルの識別に使用されるとともに、移動端末と交換されたデータをスクランブルするための符号の特徴付けに使用される。
【００１０】
隣接した基地局から受信されたＰＣＩＤ信号強度を移動端末において監視することにより、システムは、最良の信号強度の基地局に移動端末の通信をハンドオーバーすることを判定することができる。
【００１１】
概略的に言うと、移動端末は、測定値及び対応するＰＣＩＤを、自身をサーブする基地局に報告する。基地局は、選択されたＰＣＩＤによって識別されるターゲット基地局への移動端末のハンドオーバーに進むことが有益であると判定する。基地局は、ハンドオーバー要求をターゲット基地局へ転送する。ハンドオーバーが受理された場合、リソースがターゲット基地局において割り当てられ、基地局は、ターゲット基地局にハンドオーバーするように移動端末に依頼する。移動端末は、ターゲット基地局への接続を試み、成功した場合に、ソース基地局におけるリソースが解放される。パス切り替えは、移動端末を対象としたデータをターゲット基地局にリダイレクトするように行われる。
【００１２】
今日、無線セルラー通信ネットワークは、大規模に配備されているが、いくつかのエリアは依然として無線セルラー通信ネットワークの基地局によってカバーされていない。
【００１３】
基地局によって放射された信号が減衰されすぎた場合、無線セルラー通信ネットワークへのアクセスは、建物内に位置する移動端末には可能でないことがある。
【００１４】
ホーム基地局又はフェムト基地局若しくはピコ基地局のような特定の無線通信デバイスは、少なくとも建物内でカバレッジエリアを提供する。中継器も考慮される。
【００１５】
多数のホーム基地局を備える無線セルラー通信ネットワークでは、基地局は、自身のカバレッジエリアのもとで、いくつかのホーム基地局が同じＰＣＩＤを送信する状況に直面する場合がある。隣接関係表は、もはやＰＣＩＤとターゲット基地局又はホーム基地局のセルとの間の１対１マッピングではなくなる。この状況は、ソース基地局が、ハンドオーバー手順においてターゲット基地局又はターゲットホーム基地局のセルをＰＣＩＤから一意に識別することができないので、ＰＣＩＤ混乱（PCID confusion）と呼ばれる。
【００１６】
多数のホーム基地局を備えるネットワークでは、干渉管理が非常に重要な問題である。ホーム基地局の量が非常に重要(important)になると、従来のセル間干渉コーディネーション（ＩＣＩＣ）技法を使用することができない状況が起こるおそれがある。グループによる基地局干渉の管理を可能にすることが必要とされる場合がある。
【先行技術文献】
【特許文献】
【００１７】
【特許文献１】米国特許第６，４１５，１６３  Ｂ１号
【発明の概要】
【発明が解決しようとする課題】
【００１８】
本発明は、ホーム基地局又は中継器のようなデバイスが、移動端末と交換されるデータをスクランブルするための符号の特徴付けとは異なる目的でＰＣＩＤを使用することを可能にするソリューションであって、移動端末と交換されるデータをスクランブルするための符号の特徴付け以外の別の目的で使用されるＰＣＩＤを送信するセルに対してハンドオーバー手順が開始されることを回避するソリューションを提供することを目的とする。
【課題を解決するための手段】
【００１９】
このために、本発明は、無線セルラー通信ネットワークの無線通信デバイスによって移動端末へ転送される信号を制御するための方法であって、
第１の物理セル識別子及び少なくとも１つの第２の物理セル識別子が前記無線通信デバイスに割り当てられ、
第１の物理セル識別子は、他の無線通信デバイスの隣接したセルの中で無線通信デバイスのセルを識別すると共に、無線通信デバイスと移動端末との間で交換されるデータをスクランブルするための符号を特徴付けるように意図され、
少なくとも１つの第２の物理セル識別子は、移動端末と交換されるデータをスクランブルするための符号を特徴付けるように意図されないことを特徴とし、
該方法は、
第１の物理セル識別子を表す信号を移動端末へ転送することに無線通信デバイスによって適用される電力パターンを決定するステップと、
少なくとも１つの第２の物理セル識別子を表す信号を移動端末へ転送することに無線通信デバイスによって適用される別の電力パターンを決定するステップであって、該別の電力パターンは第１の電力パターンよりも厳密に低い(strictly lower)、別の電力パターンを決定するステップと、
第１の物理セル識別子及び少なくとも１つの第２の物理セル識別子並びに電力パターンを無線通信デバイスへ転送し、かつ／又は第１の物理セル識別子及び少なくとも１つの第２の物理セル識別子を表す信号を電力パターンに従って移動端末へ並列に転送するステップと、
を含むことを特徴とする、方法に関する。
【００２０】
本発明はまた、無線セルラー通信ネットワークの無線通信デバイスによって移動端末へ転送される信号を制御するための装置であって、
第１の物理セル識別子及び少なくとも１つの第２の物理セル識別子が無線通信デバイスに割り当てられ、
第１の物理セル識別子は、他の無線通信デバイスの隣接したセルの中で無線通信デバイスのセルを識別すると共に、無線通信デバイスと移動端末との間で交換されるデータをスクランブルするための符号を特徴付けるように意図され、
少なくとも１つの第２の物理セル識別子は、移動端末と交換されるデータをスクランブルするための符号を特徴付けるように意図されないことを特徴とし、
該装置は、
第１の物理セル識別子を表す信号を移動端末へ転送することに無線通信デバイスによって適用される電力パターンを決定する手段と、
少なくとも１つの第２の物理セル識別子を表す信号を移動端末へ転送することに無線通信デバイスによって適用される別の電力パターンを決定するステップであって、該別の電力パターンは第１の電力パターンよりも厳密に低い、別の電力パターンを決定する手段と、
第１の物理セル識別子及び少なくとも１つの第２の物理セル識別子並びに電力パターンを無線通信デバイスへ転送し、かつ／又は第１の物理セル識別子及び少なくとも１つの第２の物理セル識別子を表す信号を電力パターンに従って移動端末へ並列に転送する手段と、
を含むことを特徴とする、装置に関する。
【００２１】
したがって、ハンドオーバー手順は、移動端末と交換されるデータをスクランブルするための符号の特徴付け以外の別の目的で使用されるＰＣＩＤを送信するセルで開始されない。
【００２２】
少なくとも１つの第２の物理セル識別子を表す信号を転送するのに使用される電力パターンは、第１の物理セル識別子を表す信号を転送するのに使用される電力パターンよりも小さいので、１つの第２の物理セル識別子を表す信号が、第１の物理セル識別子を表す信号よりも高いレベルで移動端末により受信される確率は低い。
【００２３】
特定の特徴によれば、本発明は、無線セルラー通信ネットワークの基地局又はアクセスゲートウェイによって実行され、１つの第２の物理セル識別子は、無線通信デバイスグループの各無線通信デバイスを識別するように意図され、少なくとも２つの無線通信デバイスは隣接したものである。
【００２４】
したがって、第２の物理セル識別子は、ホーム基地局及び／又は中継器のような無線通信デバイスが配備される無線セルラー通信ネットワークにおいて、セル間干渉コーディネーション技法の目的で使用することができる。
【００２５】
例えば、１つの第２の物理セル識別子は、無線通信デバイスグループの各無線通信デバイスに割り当てられ、無線通信デバイスグループの各無線通信デバイスへ転送された電波信号又は各無線通信デバイスによって転送された電波信号により生成された干渉を制御するための同じパラメーターのセットが、無線通信デバイスグループの各無線通信デバイスに割り当てられる。
【００２６】
特定の特徴によれば、第２の物理セル識別子を表す信号を移動端末へ転送することに無線通信デバイスによって適用される電力パターンは、第１の物理セル識別子を表す信号を移動端末へ転送することに無線通信によって適用される電力パターンを、無線通信デバイスに隣接して配置された通信デジタルグループに含まれる通信デバイスの個数で割ったものよりも低い。
【００２７】
したがって、たとえ複数の無線通信デバイスによって転送された第２の物理セル識別子を表す信号が移動端末側において重畳されても、第２の物理セル識別子を表す信号の全体的な受信電力は、無線通信デバイスによって転送された第１の物理セル識別子を表す信号よりも低くなる。
【００２８】
特定の特徴によれば、本方法は、無線セルラー通信ネットワークの基地局若しくはアクセスゲートウェイ又は無線通信デバイスによって実行されることを特徴とし、少なくとも１つの第２の物理セル識別子は、第１の物理セル識別子を転送する無線通信デバイスのセルの一意の識別確率を増加させるように意図される。
【００２９】
したがって、ハンドオーバー手順の効率は増加する。
【００３０】
特定の特徴によれば、無線通信デバイスはホーム基地局又は中継器である。
【００３１】
したがって、無線通信デバイスの密集した配備で起こるＰＣＩＤ混乱を解決することができる。
【００３２】
特定の特徴によれば、或るセルが無線通信デバイスの少なくとも１つのセルと隣接しているときに、それらの物理セル識別子から或るセルを区別することができないことが検出された場合に、セルにおいて無線通信デバイスにより送信される信号に第２の物理セル識別子が追加される。
【００３３】
したがって、無線通信デバイスによって転送される第２の物理セル識別子の個数は、ＰＣＩＤ混乱を防止する最小数に制限される。
【００３４】
特定の特徴によれば、少なくとも２つの第２の物理セル識別子の電力パターンは、減少する値で設定され、第２の物理セル識別子の送信電力の合計は、第１の物理セル識別子の送信電力よりも低い。
【００３５】
したがって、たとえ無線通信デバイスによって転送された第２の物理セル識別子を表す信号が移動端末側において重畳されても、第２の物理セル識別子を表す信号の全体的な受信電力は、無線通信デバイスによって転送された第１の物理セル識別子を表す信号よりも低くなる。
【００３６】
ＰＣＩＤ混乱は、第２の物理セル識別子の送信電力パターンに基づく第２の物理セル識別子の階層的な検出(hierarchical detection)により解決することができる。
【００３７】
さらに別の態様によれば、本発明は、プログラム可能なデバイスに直接ロード可能にすることができるコンピュータープログラムであって、該コンピュータープログラムは、該コンピュータープログラムがプログラム可能なデバイス上で実行されるときに、本発明による方法のステップを実施するための命令又はコードの一部を含む、コンピュータープログラムに関する。
【００３８】
コンピュータープログラムに関連する特徴及び利点は、本発明による方法及び装置に関連して上記で説明したのと同じであるため、ここでは繰り返さない。
【００３９】
本発明の特徴は、実施形態の一例に関する以下の説明を読むことからさらに明らかになるはずであり、その説明は、添付の図面を参照しながら行なわれる。
【図面の簡単な説明】
【００４０】
【図１】本発明が実施される無線セルラー通信ネットワークを表す図である。
【図２】本発明が実施されるアクセスゲートウェイのアーキテクチャを表す図である。
【図３】本発明が実施される基地局のアーキテクチャを表す図である。
【図４】本発明が実施される無線通信デバイスのアーキテクチャを表す図である。
【図５】本発明の第１の実現モードによるアクセスゲートウェイ又は基地局によって実行されるアルゴリズムの一例を開示する。
【図６】本発明の第２の実現モードによるアクセスゲートウェイ又は基地局又は無線通信デバイスによって実行されるアルゴリズムの一例を開示する。
【図７】本発明の第３の実現モードによるアクセスゲートウェイ又は基地局又は無線通信デバイスによって実行されるアルゴリズムの一例を開示する。
【図８】本発明による無線通信デバイスによって実行されるアルゴリズムの一例を開示する。
【発明を実施するための形態】
【００４１】
図１は、本発明が実施される無線セルラー通信ネットワークを表す。
【００４２】
図１には、無線セルラー通信ネットワークの１つの移動端末ＭＴと、２つの基地局ＢＳ１及びＢＳ２と、１０個の無線通信デバイスＨＢＳ１ａ、ＨＢＳ１ｂ、ＨＢＳ１ｃ、ＨＢＳ１ｄ、ＨＢＳ１ｅ、ＨＢＳ２ａ、ＨＢＳ２ｂ、ＨＢＳ２ｃ、ＨＢＳ３、及びＨＢＳ４とが示されている。
【００４３】
２つの基地局ＢＳ１及びＢＳ２と１０個の通信デバイスＨＢＳ１ａ、ＨＢＳ１ｂ、ＨＢＳ１ｃ、ＨＢＳ１ｄ、ＨＢＳ１ｅ、ＨＢＳ２ａ、ＨＢＳ２ｂ、ＨＢＳ２ｃ、ＨＢＳ３、及びＨＢＳ４とが示されているが、本発明は、異なる個数、例えば相当数の基地局及び／又は無線通信デバイスが無線セルラー通信ネットワークに存在することを理解することができる。
【００４４】
簡単にするために、本発明は、各基地局ＢＳ又は各無線通信デバイスＨＢＳが単一のセルを管理する一例で説明される。本発明は、少なくとも１つの基地局及び／又は少なくとも１つの無線通信デバイスが２つ以上のセルを管理するときにも適用可能である。
【００４５】
１つの移動端末ＭＴのみが示されているが、本発明は、異なる個数、例えば相当数の移動端末と共に機能することを理解することができる。
【００４６】
無線通信デバイスＨＢＳは、例えば家庭に配置される。
【００４７】
無線通信デバイスＨＢＳは、例えば、ホーム基地局若しくは中継器、又は中継器及びホーム基地局を組み合わせたものとすることができる。
【００４８】
各ホーム基地局ＨＢＳは、そのホーム基地局ＨＢＳに関連付けられた移動端末が、無線セルラー通信ネットワークにアクセスすることを可能にすることができる。
【００４９】
各中継器は、その中継器に関連付けられた移動端末が、無線セルラー通信ネットワークにアクセスすることを可能にすることができる。
例えば、中継器は、あたかも従来の基地局又はホーム基地局であるかのように、ダウンリンクチャネルを通じて移動端末へ信号を送信し、移動端末からアップリンクチャネルを通じて信号を受信する。
しかしながら、通信ネットワークへの有線接続を有する基地局又はホーム基地局とは異なり、中継器は、基地局又はホーム基地局と無線接続しか有しておらず、通信ネットワークへの中継器の接続は基地局又はホーム基地局を介して行われる。
【００５０】
無線通信デバイスＨＢＳは、自身がそれぞれ管理する図１には図示しないセルに位置する移動端末によって転送された信号を受信することができる。無線通信デバイスＨＢＳは、自身がそれぞれ管理するセルに位置する移動端末が受信して処理することができる信号を転送する。
【００５１】
アクセスゲートウェイＡＧＷを無線セルラー通信ネットワークに含めることができる。アクセスゲートウェイＡＧＷは、どの無線通信デバイスＨＢＳとのハンドオーバーを実行しなければならないのかを判断することができる。
【００５２】
アクセスゲートウェイＡＧＷは、無線通信デバイスＨＢＳと無線セルラー通信ネットワークの残りのデバイスとをインターフェースすることができる。
【００５３】
本発明では、無線通信デバイスグループを形成する複数の無線通信デバイスＨＢＳは、同じ共通の識別子を共有することができる。
【００５４】
無線通信デバイスグループは、地理的に局所化されている場合もあるしそうでない場合もある。無線通信デバイスグループは、空間的に分散させることができる。
【００５５】
本発明によれば、無線通信デバイスＨＢＳは、複数のＰＣＩＤを転送することができる。
【００５６】
例えば、ＰＣＩＤの１つは、移動端末と交換されるデータをスクランブルするための符号を特徴付けるのに使用されるとともに、隣接した無線通信デバイス又は基地局の中でその無線通信デバイスを識別することを目的としている。
他のＰＣＩＤ（複数可）は、多様性をもたらしかつ無線通信デバイスの識別を精緻化するために転送されるか、又は無線通信デバイスグループを識別するために転送される。
そのＰＣＩＤ又はこれらの他のＰＣＩＤは、データの交換に使用することができず、その結果、たとえこのようなＰＣＩＤが測定報告において優れた候補となっても、移動端末がセルの選択又は再選択に使用することも、基地局がハンドオーバーに使用することもできない。
【００５７】
他の１つのＰＣＩＤが優れた候補になった場合、結果として、移動端末は、自身が選択したセルを通じて無線セルラー通信ネットワークにアクセスすることはしない。
【００５８】
別の結果として、移動端末が関与するハンドオーバーは失敗することになり、その移動端末についての無線セルラー通信ネットワークへのアクセスを中断することができる。
【００５９】
例えば、各無線通信デバイスＨＢＳ１ａ、ＨＢＳ１ｂ、ＨＢＳ１ｃ、ＨＢＳ１ｄ、及びＨＢＳ１ｅは、２つのＰＣＩＤを移動端末ＭＴへ転送する。
第１のＰＣＩＤは、移動端末ＭＴと交換されるデータをスクランブルするための符号を特徴付けるのに使用されると共に、基地局ＢＳ１及びＢＳ２のセル、並びに無線通信デバイスＨＢＳ１ａ、ＨＢＳ１ｂ、ＨＢＳ１ｃ、ＨＢＳ１ｄ、ＨＢＳ１ｅ、ＨＢＳ２ａ、ＨＢＳ２ｂ、ＨＢＳ２ｃ、ＨＢＳ３、及びＨＢＳ４のセルの中で無線通信デバイスＨＢＳ１ａ、ＨＢＳ１ｂ、ＨＢＳ１ｃ、ＨＢＳ１ｄ、及びＨＢＳ１ｅのセルを識別するのに使用される。
少なくとも１つの第２のＰＣＩＤは、無線通信デバイスグループを形成するすべての無線通信デバイスＨＢＳ１ａ、ＨＢＳ１ｂ、ＨＢＳ１ｃ、ＨＢＳ１ｄ、及びＨＢＳ１ｅに共通である。
【００６０】
例えば、各無線通信デバイスＨＢＳ２ａ、ＨＢＳ２ｂ、及びＨＢＳ２ｃは、２つのＰＣＩＤを移動端末ＭＴへ転送する。
第１のＰＣＩＤは、移動端末ＭＴと交換されるデータをスクランブルするための符号を特徴付ける目的で使用されると共に、基地局ＢＳ１及びＢＳ２、並びに無線通信デバイスＨＢＳ１ａ、ＨＢＳ１ｂ、ＨＢＳ１ｃ、ＨＢＳ１ｄ、ＨＢＳ１ｅ、ＨＢＳ２ａ、ＨＢＳ２ｂ、ＨＢＳ２ｃ、ＨＢＳ３、及びＨＢＳ４の中で無線通信デバイスＨＢＳ２ａ、ＨＢＳ２ｂ、及びＨＢＳ２ｃのセルの粗い識別（rough identification）の目的で使用される。
少なくとも１つの第２のＰＣＩＤは、無線通信デバイスのセルの識別を高める目的で使用される。
【００６１】
各無線通信デバイスＨＢＳ３及びＨＢＳ４、各基地局ＢＳ１及びＢＳ２は、単一のＰＣＩＤをそれぞれ転送する。単一のＰＣＩＤは、基地局ＢＳ１及びＢＳ２、並びに無線通信デバイスＨＢＳ１ａ、ＨＢＳ１ｂ、ＨＢＳ１ｃ、ＨＢＳ１ｄ、ＨＢＳ１ｅ、ＨＢＳ２ａ、ＨＢＳ２ｂ、ＨＢＳ２ｃ、ＨＢＳ３、及びＨＢＳ４の中で無線通信デバイス又は基地局のセルを識別するとともに、移動端末ＭＴと交換されるデータをスクランブルするための符号を特徴付けるのに使用される。
【００６２】
例えば、無線通信デバイスＨＢＳ４及びＨＢＳ２ａは、電波の観点から直接隣接したものではないが、共に基地局ＢＳ２に隣接したものである。無線通信デバイスＨＢＳ４及びＨＢＳ２ａは同じＰＣＩＤを共有する。
【００６３】
基地局ＢＳ１及びＢＳ２並びにアクセスゲートウェイＡＧＷは、図１に図示しない通信ネットワークによって互いにリンクされる。
【００６４】
無線通信デバイスＨＢＳ１ａ、ＨＢＳ１ｂ、ＨＢＳ１ｃ、ＨＢＳ１ｄ、ＨＢＳ１ｅ、ＨＢＳ２ａ、ＨＢＳ２ｂ、ＨＢＳ２ｃ、ＨＢＳ３、及びＨＢＳ４は、これらの無線通信デバイスがホーム基地局である場合に、通信ネットワークによってリンクされ得る。
【００６５】
通信ネットワークは、例えば、ＰＳＴＮネットワーク（公衆交換通信ネットワーク）、又はＩＳＤＮ（サービス統合デジタル網）ネットワーク等のようなパケット交換ネットワークである。
【００６６】
基地局ＢＳ及び無線通信デバイスＨＢＳの近くに移動端末ＭＴがいるとき、移動端末ＭＴは、基地局ＢＳ及び無線通信ＨＢＳによって転送された各ＰＣＩＤを受信する。
【００６７】
本発明によれば、各基地局ＢＳ若しくはアクセスゲートウェイＡＧＷ又は各無線通信デバイスは、
−第１の物理セル識別子を表す信号を移動端末へ転送することに無線通信デバイスによって適用される電力パターンを決定し、
−少なくとも１つの第２の物理セル識別子を表す信号を移動端末へ転送することに無線通信デバイスによって適用される別の電力パターンを決定し、該別の電力パターンは第１の電力パターンよりも厳密に低く、
−第１の物理セル識別子及び少なくとも１つの第２の物理セル識別子並びに電力パターンを無線通信デバイスへ転送し、かつ／又は第１の物理セル識別子を表す信号及び少なくとも１つの第２の物理セル識別子を表す信号を電力パターンに従って移動端末へ並列に転送する。
【００６８】
図２は、本発明が実施されるアクセスゲートウェイのアーキテクチャを表す図である。
【００６９】
アクセスゲートウェイＡＧＷは、例えば、バス２０１によって互いに接続されたコンポーネントと、図５又は図６又は図７に開示するようなプログラムによって制御されるプロセッサー２００とに基づくアーキテクチャを有する。
【００７０】
ここで、アクセスゲートウェイＡＧＷのアーキテクチャは、プロセッサーに基づくのではなく、専用集積回路に基づくことができることに留意しなければならない。
【００７１】
バス２０１は、プロセッサー２００を、読み出し専用メモリＲＯＭ２０２、ランダムアクセスメモリＲＡＭ２０３及びネットワークインターフェース２０６にリンクする。
【００７２】
メモリ２０３は、図５又は図６又は図７に開示されるようなアルゴリズムに関連するプログラムの変数及び命令を受信するように意図されるレジスタを含む。
【００７３】
プロセッサー２００は、ネットワークインターフェース２０６の動作を制御する。
【００７４】
読み出し専用メモリ２０２は、図５又は図６又は図７において開示されるようなアルゴリズムに関連するプログラムの命令を含み、それらの命令は、アクセスゲートウェイＡＧＷが起動されるときに、ランダムアクセスメモリＲＡＭ２０３に転送される。
【００７５】
アクセスゲートウェイＡＧＷは、ネットワークインターフェース２０６を通して、通信ネットワークに接続される。たとえば、ネットワークインターフェース２０６はＤＳＬ（デジタル加入者線）モデム、又はＩＳＤＮ（統合デジタルサービス網）インターフェース等である。
【００７６】
ネットワークインターフェース２０６を通して、アクセスゲートウェイＡＧＷは、無線通信デバイスＨＢＳ、無線セルラー通信ネットワークの基地局ＢＳ、又は図１には示されていない無線セルラー通信ネットワークのコアデバイスに、メッセージを転送する場合がある。
【００７７】
図３は、本発明が実施される基地局のアーキテクチャを表す図である。
【００７８】
基地局ＢＳは、例えば、バス３０１によって互いに接続されたコンポーネントと、図５又は図６又は図７に開示するようなプログラムによって制御されるプロセッサー３００とに基づくアーキテクチャを有する。
【００７９】
ここで、基地局ＢＳのアーキテクチャは、プロセッサーに基づくのではなく、専用集積回路に基づくことができることに留意しなければならない。
【００８０】
バス３０１は、プロセッサー３００を、読み出し専用メモリＲＯＭ３０２、ランダムアクセスメモリＲＡＭ３０３及びネットワークインターフェース３０６にリンクする。
【００８１】
メモリ３０３は、図５又は図６又は図７に開示されるようなアルゴリズムに関連するプログラムの変数及び命令を受信するように意図されるレジスタを含む。
【００８２】
プロセッサー３００は、ネットワークインターフェース３０６の動作を制御する。
【００８３】
読み出し専用メモリ３０２は、図５又は図６又は図７において開示されるようなアルゴリズムに関連するプログラムの命令を含み、それらの命令は、基地局ＢＳが起動されるときに、ランダムアクセスメモリＲＡＭ３０３に転送される。
【００８４】
基地局ＢＳは、ネットワークインターフェース３０６を通して、通信ネットワークに接続される場合がある。たとえば、ネットワークインターフェース３０６はＤＳＬモデム、又はＩＳＤＮインターフェース等である。
【００８５】
ネットワークインターフェース３０６を通して、基地局ＢＳは、無線通信デバイスＨＢＳ、無線セルラー通信ネットワークのアクセスゲートウェイ、又は図１には示されていない無線セルラー通信ネットワークのコアデバイスに、メッセージを転送する場合がある。
【００８６】
無線インターフェース３０５は、ダウンリンク送信モジュール及びアップリンク受信モジュールを備える。
【００８７】
図４は、本発明が実施される無線通信デバイスのアーキテクチャを表す図である。
【００８８】
無線通信デバイスＨＢＳは、例えば、バス４０１によって互いに接続されたコンポーネントと、図８に開示するようなプログラムによって制御されるプロセッサー４００とに基づくアーキテクチャを有する。
【００８９】
ここで、無線通信デバイスＨＢＳのアーキテクチャは、プロセッサーに基づくのではなく、専用集積回路に基づくことができることに留意しなければならない。
【００９０】
バス４０１は、プロセッサー４００を、読み出し専用メモリＲＯＭ４０２、ランダムアクセスメモリＲＡＭ４０３、無線インターフェース４０５及びネットワークインターフェース４０６にリンクする。
【００９１】
メモリ４０３は、図８において開示されるようなアルゴリズムに関連するプログラムの変数及び命令を受信するように意図されるレジスタを含む。
【００９２】
プロセッサー４００は、ネットワークインターフェース４０６及び無線インターフェース４０５の動作を制御する。
【００９３】
読み出し専用メモリ４０２は、図８において開示されるようなアルゴリズムに関連するプログラムの命令を含み、それらの命令は、無線通信デバイスＨＢＳが起動されるときに、ランダムアクセスメモリ４０３に転送される。
【００９４】
無線通信デバイスＨＢＳがホーム基地局である場合、無線通信デバイスＨＢＳは、ネットワークインターフェース４０６を通じて通信ネットワークに接続され得る。例えば、ネットワークインターフェース４０６は、ＤＳＬ（デジタル加入者線）モデム又はＩＳＤＮ（サービス統合デジタル網）インターフェース等である。
【００９５】
ホーム基地局ＨＢＳは、ネットワークインターフェース４０６を通じて、メッセージを他の基地局ＢＳ若しくはホーム基地局ＨＢＳ又はコーディネータ１０へ転送することができる。
【００９６】
無線通信デバイスＨＢＳがホーム基地局である場合、無線インターフェース４０５は、ダウンリンク送信モジュール及びアップリンク受信モジュールを備える。
【００９７】
無線通信デバイスＨＢＳが中継器である場合、無線インターフェース４０５は、該中継器と基地局ＢＳとの間での信号の転送用のダウンリンク受信モジュール及びアップリンク送信モジュールを備える。無線インターフェース４０５は、該中継器と移動端末との間での信号の転送用のダウンリンク送信モジュール及びアップリンク受信モジュールをさらに備える。
【００９８】
無線インターフェース４０５は、移動端末へ転送される少なくとも２つのＰＣＩＤについて異なる送信電力を有するために、少なくとも２つのＰＣＩＤを表す信号に乗算を行うための少なくとも２つの乗算モジュールＭｕｌ１及びＭｕｌ２をさらに備える。
【００９９】
無線インターフェース４０５及びネットワークインターフェース４０６は、移動端末がリモート通信デバイスとの通信を確立又は受信したときに、無線セルラー通信ネットワークにアクセスするために移動端末が使用することができるホーム基地局ＨＢＳのリソースである。
【０１００】
図５は、本発明の第１の実現モードによるアクセスゲートウェイ又は基地局によって実行されるアルゴリズムの一例を開示する。
【０１０１】
本アルゴリズムは、アクセスゲートウェイＡＧＷのプロセッサー２００によって実行されるときに開示される。
【０１０２】
ステップＳ５００において、プロセッサー２００は、無線通信デバイスＨＢＳのグループを形成する。この無線通信デバイスのグループは、無線通信デバイスＨＢＳのロケーション情報を使用して形成することができる。
【０１０３】
例えば、無線通信デバイスのグループは、無線通信デバイスＨＢＳ１ａ〜ＨＢＳ１ｅを含む。
【０１０４】
次のステップＳ５０１において、プロセッサー２００は、無線通信デバイスグループの無線通信デバイスによって共通に転送されるグループ識別子と呼ばれる１つの共通の物理セル識別情報を決定する。
【０１０５】
本発明の特定の特徴によれば、物理セル識別情報は、ＩＣＩＣパラメーターの１セットに対応する。
【０１０６】
５０４個の物理セル識別情報の中で、それらの物理セル識別情報のいくつか、例えばそれらの２０個は、ホーム基地局グループ用に確保される。それらの物理セル識別情報のそれぞれは、アップリンクチャネル用のセル間干渉コーディネーション(inter-cell interference coordination)（ＩＣＩＣ）パラメーターのセット又はダウンリンクチャネル用のＩＣＩＣパラメーターのセットに対応する。
【０１０７】
例えば、プロセッサー２００は、移動端末及び／又は基地局ＢＳ１若しくはＢＳ２及び／又は無線通信デバイスＨＢＳによって測定された干渉に関係した情報をネットワークインターフェース２０６を通じて受信することにより、グループ識別子を決定する。
【０１０８】
干渉に関係した情報は、例えば、隣接基地局により転送された信号若しくは隣接基地局へ転送された信号の電力強度、又は少なくとも１つの無線通信デバイスグループにより転送された信号若しくは少なくとも１つの無線通信デバイスグループへ転送された信号の電力強度である。
各信号は、物理セル識別情報によって識別され、移動端末及び／又は基地局ＢＳ及び／又は無線通信デバイスＨＢＳによって受信される。
【０１０９】
各移動端末は、その移動端末を現在サーブしている基地局へ、干渉に関係した情報を含むメッセージを転送する。
【０１１０】
メッセージは、サーブしている基地局ＢＳが本アルゴリズムを実行するときは該基地局ＢＳによってそのようなメッセージとして使用されるか、又はサーブしている基地局ＢＳによってアクセスゲートウェイＡＧＷへ転送されるか、又はサーブしている基地局ＢＳによって処理されるとともに、この処理の結果がアクセスゲートウェイＡＧＷへ転送される。
【０１１１】
プロセッサー２００は、無線通信デバイスグループのＩＣＩＣパラメーターのセットを求める。例えば、ＩＣＩＣ手順は、セル端の移動端末にリソースの一部を確保する。
【０１１２】
この目的のために、基地局ＢＳごとに又は無線通信デバイスＨＢＳグループごとに電力パターンが定義される。
ここで、所与の周波数リソースにおいて、基地局ＢＳ若しくは無線通信デバイスＨＢＳグループの無線通信デバイスＨＢＳとのアップリンク送信に各移動端末が使用する最大送信電力、及び／又は
所与の周波数リソースにおいて、基地局若しくは無線通信デバイスグループの無線通信デバイスＨＢＳがダウンリンク送信に使用する最大送信電力は、変化する。
【０１１３】
このパターンは、基地局ごとに又は無線通信デバイスＨＢＳグループごとに変化する。例えば、２つの隣接した基地局ＢＳ及び／又は無線通信デバイスＨＢＳグループは異なるパターンを有する。
【０１１４】
ＩＣＩＣパラメーターは、その後、移動端末が被る干渉のレベル又は移動端末が生み出す干渉のレベルに応じて最適化される。
【０１１５】
一変形では、プロセッサー２００は、
該プロセッサー２００がその存在に気付いている各無線通信デバイスＨＢＳについてＩＣＩＣパラメーターのセット、又は無線通信デバイスグループに含まれる各無線通信デバイスＨＢＳについてのＩＣＩＣパラメーターのセットを求め、
求められたＩＣＩＣパラメーターのセットに従って無線通信デバイスグループを変更することができる。
【０１１６】
求められたＩＣＩＣパラメーターのセットから、プロセッサー２００はグループ識別子を決定する。
【０１１７】
次のステップＳ５０２において、プロセッサー２００は、ステップＳ５００において形成された無線通信デバイスグループに含まれる無線通信デバイスＨＢＳの個数を求める。
【０１１８】
上述した例によれば、５つの無線通信デバイスＨＢＳが無線通信デバイスグループに属する。
【０１１９】
次のステップＳ５０３において、プロセッサー２００は、無線通信デバイスグループの各無線通信デバイスＨＢＳについて１つの別の物理セル識別情報を決定する。
一変形では、この別の物理セル識別情報は、無線セルラー通信ネットワークのコアネットワークデバイスによって又は各無線通信デバイスＨＢＳによって決定される。
【０１２０】
無線セルラー通信デバイスＨＢＳに割り当てられた別の各物理セル識別情報は、無線通信デバイスグループの各無線通信デバイスＨＢＳと共有されない。
【０１２１】
この別の物理セル識別子は、他の無線通信デバイスの隣接したセルの中でその無線通信デバイスのセルを識別し、かつその無線通信デバイスと移動端末との間で交換されるデータをスクランブルするための符号を特徴付けるように意図される。
【０１２２】
次のステップＳ５０４において、プロセッサー２００は、ステップＳ５０３において決定された別の各物理セル識別情報の電力パターンを決定する。各電力パターンは、対応する無線通信デバイスＨＢＳがこの別の物理セル識別情報を移動端末へ転送することに適用するように意図される。
【０１２３】
例えば、この電力パターンは、ステップＳ５０１において求められたＩＣＩＣパラメーターとして決定されるか、又は所定の値に等しい。
【０１２４】
次のステップＳ５０５において、プロセッサー２００は、グループ識別子を移動端末へ転送することに無線通信デバイスグループの各無線通信デバイスＨＢＳによって適用される電力パターンを決定する。
【０１２５】
この電力パターンは、無線通信デバイスＨＢＳに隣接して配置された無線通信デバイスグループの無線通信デバイスの個数又は密度に従って決定される。
【０１２６】
例えば、グループ識別子を移動端末へ転送するための電力パターンは、無線通信デバイスＨＢＳによって転送されるこの別の電力パターンを、ステップＳ５００において形成された無線通信デバイスグループに含まれかつ無線通信デバイスＨＢＳに隣接して配置された無線通信デバイスの個数によって割ったもの以下である。
【０１２７】
次のステップＳ５０６において、プロセッサー２００は、電力パターンと共にグループ識別子及び別の物理セル識別情報を含むメッセージを無線通信デバイスグループの各無線通信デバイスＨＢＳへ転送することを指令する。
【０１２８】
その後、プロセッサー２００は、必要な場合に、別の無線通信デバイスグループを処理するためにステップＳ５００に戻る。
【０１２９】
図６は、本発明の第２の実現モードによるアクセスゲートウェイ又は基地局又は無線通信デバイスによって実行されるアルゴリズムの一例を開示する。
【０１３０】
本アルゴリズムは、アクセスゲートウェイＡＧＷのプロセッサー２００によって実行されるときに開示される。
【０１３１】
次のステップＳ６００において、プロセッサー２００は、アクセスゲートウェイＡＧＷが担当するエリアに配置された少なくとも１つの無線通信デバイスＨＢＳの第１の物理セル識別情報を決定する。
一変形では、第１の物理セル識別情報は、無線セルラー通信ネットワークのコアネットワークデバイスによって又は各無線通信デバイスＨＢＳによって決定される。
【０１３２】
無線通信デバイスＨＢＳに割り当てられた第１の物理セル識別情報は、その無線通信デバイスに直接隣接して配置された各無線通信デバイスＨＢＳと共有されないが、隣接した無線通信デバイス又は基地局に隣接した無線通信デバイスが共有することはできる。
【０１３３】
例えば、無線通信デバイスＨＢＳ２ａに割り当てられた第１の物理セル識別情報は、無線通信デバイスＨＢＳ４と共有される。ＨＢＳ２ａ及びＨＢＳ４は、共に基地局ＢＳ２に隣接したものである。
【０１３４】
第１の物理セル識別子は、他の無線通信デバイスの隣接したセルの中でその無線通信デバイスのセルを識別するように意図され、かつその無線通信デバイスと移動端末との間で交換されるデータをスクランブルするための符号を特徴付けるように意図される。
【０１３５】
次のステップＳ６０１において、プロセッサー２００は、アクセスゲートウェイＡＧＷが担当するエリアに配置された少なくとも１つの無線通信デバイスＨＢＳの少なくとも１つの第２の物理セル識別情報を決定する。
一変形では、この第２の物理セル識別情報又は各第２の物理セル識別情報は、無線セルラー通信ネットワークのコアネットワークデバイスによって又は各無線通信デバイスＨＢＳによって決定される。
【０１３６】
この第２の物理セル識別情報又は各第２の物理セル識別情報は、無線通信デバイスを識別するための追加の情報を提供する目的で、無線通信デバイスに割り当てられる。
例えば、ＨＢＳ２ａ及びＨＢＳ４は、同じ第１の物理セル識別子を共有するが、ＨＢＳ２ａは第２の物理セル識別子を有し、ＨＢＳ４は第２の物理セル識別子を有しない。
第２の物理セル識別子により、基地局ＢＳ２は、移動端末ＭＴによって提供された測定報告からＨＢＳ２ａのセルとＨＢＳ４のセルとをさらに区別することができる。
【０１３７】
次のステップＳ６０２において、プロセッサー２００は、ステップＳ６００において決定された第１の物理セル識別情報の電力パターンを決定する。この電力パターンは、対応する無線通信デバイスＨＢＳが第１の物理セル識別情報を移動端末へ転送することに適用するように意図される。
【０１３８】
例えば、この電力パターンは、図５のステップＳ５０１において求められたＩＣＩＣパラメーターとして決定されるか、又は所定の値に等しい。
【０１３９】
次のステップＳ６０３において、プロセッサー２００は、ステップＳ６０１において決定された各第２の物理セル識別情報の電力パターンを決定する。各電力パターンは、対応する無線通信デバイスＨＢＳが第２の物理セル識別情報を移動端末へ転送することに適用するように意図される。
【０１４０】
本発明によれば、その第２の物理セル識別情報又は各第２の物理セル識別情報を移動端末へ転送するための電力パターンは、無線通信デバイスによって第１の物理セル識別情報を移動端末へ転送するための電力パターンよりも厳密に低い。
【０１４１】
次のステップＳ６０４において、プロセッサー２００は、電力パターンと共に第１の物理セル識別情報及び少なくとも１つの第２の物理セル識別情報を含むメッセージを少なくとも１つの無線通信デバイスのそれぞれへ転送することを指令する。
【０１４２】
その後、プロセッサー２００は本アルゴリズムを中断する。
【０１４３】
図７は、本発明の第３の実現モードによるアクセスゲートウェイ又は基地局又は無線通信デバイスによって実行されるアルゴリズムの一例を開示する。
【０１４４】
本アルゴリズムは、アクセスゲートウェイＡＧＷのプロセッサー２００によって実行されるときに開示される。
【０１４５】
次のステップＳ７００において、プロセッサー２００は、アクセスゲートウェイＡＧＷが担当するエリアに配置された少なくとも１つの無線通信デバイスＨＢＳの第１の物理セル識別情報を決定する。
一変形では、第１の物理セル識別情報は、無線セルラー通信ネットワークのコアネットワークデバイスによって又は各無線通信デバイスＨＢＳによって決定される。
【０１４６】
無線通信デバイスＨＢＳに割り当てられた第１の物理セル識別情報は、その無線通信デバイスに直接隣接して配置された各無線通信デバイスＨＢＳと共有されないが、隣接した無線通信デバイス又は基地局に隣接した無線通信デバイスが共有することはできる。
【０１４７】
第１の物理セル識別子は、他の無線通信デバイスの隣接したセルの中でその無線通信デバイスのセルを識別するように意図され、かつその無線通信デバイスと移動端末との間で交換されるデータをスクランブルするための符号を特徴付けるように意図される。
【０１４８】
次のステップＳ７０１において、プロセッサー２００は、アクセスゲートウェイＡＧＷが担当するエリアに配置された少なくとも１つの無線通信デバイスＨＢＳの第２の物理セル識別情報を決定する。
一変形では、この第２の物理セル識別情報又は各第２の物理セル識別情報は、無線セルラー通信ネットワークのコアネットワークデバイスによって又は各無線通信デバイスＨＢＳによって決定される。
【０１４９】
この第２の物理セル識別情報は、無線通信デバイスを識別するための追加の情報を提供する目的で、無線通信デバイスに割り当てられる。
【０１５０】
次のステップＳ７０２において、プロセッサー２００は、ステップＳ７００において決定された第１の物理セル識別情報の電力パターンを決定する。この電力パターンは、対応する無線通信デバイスＨＢＳが第１の物理セル識別情報を移動端末へ転送することに適用するように意図される。
【０１５１】
例えば、この電力パターンは、図５のステップＳ５０１において求められたＩＣＩＣパラメーターとして決定されるか、又は所定の値に等しい。
【０１５２】
次のステップＳ７０３において、プロセッサー２００は、ステップＳ７０１又は本明細書の後に開示するようなステップＳ７０６において決定された各第２の物理セル識別情報の電力パターンを決定する。各電力パターンは、対応する無線通信デバイスＨＢＳが第２の物理セル識別情報を移動端末へ転送することに適用するように意図される。
【０１５３】
本発明によれば、その第２の物理セル識別情報又は各第２の物理セル識別情報を移動端末へ転送するための電力パターンは、無線通信デバイスによって第１の物理セル識別情報を移動端末へ転送するための電力パターンよりも厳密に低い。
【０１５４】
次のステップＳ７０４において、プロセッサー２００は、電力パターンと共に第１の物理セル識別情報及び少なくとも１つの第２の物理セル識別情報を含むメッセージを少なくとも１つの無線通信デバイスのそれぞれへ転送することを指令する。
【０１５５】
本アルゴリズムが基地局ＢＳによって実行されるとき、プロセッサー３００が、第１の識別子及び少なくとも１つの第２の識別子を対応する電力パターンで並列に転送するように無線インターフェース４０５に指令する。
【０１５６】
ステップＳ７０５において、プロセッサー２００は、移動端末若しくは基地局によって受信された測定報告から、又は無線セルラー通信ネットワークの他のデバイスから受信されたメッセージによって、隣接した無線通信デバイスの中でその無線通信デバイスを一意に識別することができるか否かをチェックする。
すなわち、１つの無線通信デバイスが、同じ第１の物理セル識別子及び第２の物理セル識別子を共有する２つの隣接無線通信デバイスを有しないか否かをチェックする。
【０１５７】
隣接した無線通信デバイスの中でその無線通信デバイスを一意に識別することができる場合、プロセッサー２００は本アルゴリズムを中断する。そうでない場合、プロセッサー２００はステップＳ７０６に移動する。
【０１５８】
ステップＳ７０６において、プロセッサー２００は、アクセスゲートウェイＡＧＷが担当するエリアに配置された少なくとも１つの無線通信デバイスＨＢＳの補助的な第２の物理セル識別情報を決定する。
一変形では、この補助的な第２の物理セル識別情報は、無線セルラー通信ネットワークのコアネットワークデバイスによって又は各無線通信デバイスＨＢＳによって決定される。
【０１５９】
この補助的な第２の物理識別情報は、無線通信デバイスを識別するための追加の情報を提供する目的で無線通信デバイスに割り当てられる。
【０１６０】
その後、プロセッサー２００は、すでに開示されたステップＳ７０３に戻る。
【０１６１】
図８は、本発明による無線通信デバイスによって実行されるアルゴリズムの一例を開示する。
【０１６２】
より正確には、本アルゴリズムは、無線通信デバイスＨＢＳのプロセッサー４００によって実行される。
【０１６３】
ステップＳ８００において、プロセッサー４００は第１の物理セル識別情報を取得する。
この第１の物理セル識別情報は、アクセスゲートウェイＡＧＷ又は基地局ＢＳから受信され、図５のステップＳ５０３において開示されたもの若しくは図６のステップＳ６００において開示されたもの若しくは図７のステップＳ７００において開示されたものと同様であるか、又は図６のステップＳ６００において開示されたように無線通信デバイスＨＢＳによって決定される。
【０１６４】
次のステップＳ８０１において、プロセッサー４００は、第１の物理セル識別情報を移動端末へ転送することに適用される電力パターンを取得する。
この電力パターンは、アクセスゲートウェイＡＧＷ又は基地局ＢＳから受信され、図５のステップＳ５０４において開示されたもの若しくは図６のステップＳ６０２において開示されたもの若しくは図７のステップＳ７０２において開示されたものと同様であるか、又は図６のステップＳ６０２において開示されたように無線通信デバイスＨＢＳによって決定される。
【０１６５】
次のステップＳ８０２において、プロセッサー４００は、第２の物理セル識別情報を取得する。
この第２の物理セル識別情報は、アクセスゲートウェイＡＧＷ又は基地局ＢＳから受信され、図５のステップＳ５０１において開示されたもの若しくは図６のステップＳ６０１において開示されたもの若しくは図７のステップＳ７０１若しくはＳ７０６において開示されたものと同様であるか、又は図６のステップＳ６０１において開示されたように無線通信デバイスＨＢＳによって決定される。
【０１６６】
次のステップＳ８０３において、プロセッサー４００は、第２の物理セル識別情報を移動端末へ転送することに適用される電力パターンを取得する。
この電力パターンは、アクセスゲートウェイＡＧＷから又は基地局ＢＳから受信され、図５のステップＳ５０５において開示されたもの若しくは図６のステップＳ６０３において開示されたもの若しくは図７のステップＳ７０３において開示されたものと同様であるか、又は図６のステップＳ６０３において開示されたように無線通信デバイスＨＢＳによって決定される。
【０１６７】
次のステップＳ８０４において、プロセッサー４００は、第１の識別子及び第２の識別子を対応する電力パターンで並列に転送するように無線インターフェース４０５に指令する。
【０１６８】
その後、プロセッサー４００は、本アルゴリズムを中断する。
【０１６９】
本質的に、本発明の範囲から逸脱することなく、上記の本発明の実施形態に対して数多くの変更を行なうことができる。
【図１】
2011109668.tif 000003
【図２】
2011109668.tif 000004
【図３】
2011109668.tif 000005
【図４】
2011109668.tif 000006
【図５】
2011109668.tif 000007
【図６】
2011109668.tif 000008
【図７】
2011109668.tif 000009
【図８】
2011109668.tif 000010
【外国語明細書】
2011109668.tif 000011
2011109668.tif 000012
2011109668.tif 000013
2011109668.tif 000014
2011109668.tif 000015
2011109668.tif 000016
2011109668.tif 000017
2011109668.tif 000018
2011109668.tif 000019
2011109668.tif 000020
2011109668.tif 000021
2011109668.tif 000022
2011109668.tif 000023
2011109668.tif 000024
2011109668.tif 000025
2011109668.tif 000026
2011109668.tif 000027
2011109668.tif 000028
2011109668.tif 000029
2011109668.tif 000030
2011109668.tif 000031
2011109668.tif 000032
2011109668.tif 000033
2011109668.tif 000034
2011109668.tif 000035
2011109668.tif 000036
2011109668.tif 000037
2011109668.tif 000038
2011109668.tif 000039
2011109668.tif 000040